(57)【要約】  弾性ベルトと、中央シャーシと、図形と、を含むプルオン使い捨て吸収性物品。
2018522680.tif 000002
【特許請求の範囲】
【請求項１】
外側表面及び内側表面と、前側領域と、後側領域と、これらの間に配設された股部領域と、を有する吸収性物品であって、
液体透過性トップシートと、バックシートと、前記トップシートと前記バックシートとの間に配設された吸収性コアと、
前記股部領域を占め、左長手方向縁部及び右長手方向縁部を含み、第１の図形物体を更に含む、中央シャーシと、
前記中央シャーシの周りに配設されたベルト構造体であって、前記ベルト構造体が、前記前側領域及び前記後側領域において、前記バックシートの外側まで前記バックシートを覆い、前記ベルト構造体が前記シャーシと重なり合い且つ前記シャーシから横方向及び長手方向外側に延在し、前記ベルト構造体が前記横方向軸に最も近い前記中央シャーシと重なり合う、前記物品の外側表面に下縁シームを形成し、前記ベルト構造体が前記横方向軸から最も離れた前記中央シャーシと重なり合う、前記物品の内側表面に上縁シームを形成する、ベルト構造体と、を含み、
前記ベルト構造体が、前側腰部縁部、前側左側縁部、及び前側右側縁部を有する前側部分を有し、
前記ベルト構造体が、後側腰部縁部、後側左側縁部、及び後側右側縁部を有する後側部分を有し、
それぞれの前記前側左側縁部及び前記後側左側縁部並びにそれぞれの前記前側右側縁部及び前記後側右側縁部がサイドシームにおいて接合され、前記ベルト構造体が、腰部開口部、左脚部開口部及び右脚部開口部を形成し、
前記第１の図形物体の遠位縁部から前記上縁シームまでの距離が５０ｍｍ〜１５０ｍｍであり、
前記第１の図形物体の遠位縁部から前記下縁シームまでの距離が２ｍｍ〜１０ｍｍである、吸収性物品。
【請求項２】
前記第１の図形物体が漏れインジケータである、請求項１に記載の吸収性物品。
【請求項３】
前記前側ベルト部分が第２の図形物体を含む、請求項１に記載の吸収性物品。
【請求項４】
前記第２の図形物体が前記中央シャーシと重ならない、請求項３に記載の吸収性物品。
【請求項５】
前記第２の図形物体の全体が前記前側ベルト部分に位置し、前記中央シャーシと重なり合う、請求項３に記載の吸収性物品。
【請求項６】
前記第２の図形物体が前記中央シャーシと部分的に重なり合う、請求項３に記載の吸収性物品。
【請求項７】
前記物品が、前記前側ベルト部分に部分的に印刷されており、前記中央シャーシに部分的に印刷されている第２の図形物体を含む、請求項１に記載の吸収性物品。
【請求項８】
前記物品が、前記中央シャーシに印刷されている第２の図形物体を含み、前記第２の図形物体の遠位点が、前記下縁シームよりも前記横方向軸から２ｍｍ〜１０ｍｍ離れている、請求項１に記載の吸収性物品。
【請求項９】
外側表面及び内側表面と、前側領域と、後側領域と、これらの間に配設された股部領域と、を有する吸収性物品であって、
液体透過性トップシートと、バックシートと、前記トップシートと前記バックシートとの間に配設された吸収性コアと、
前記股部領域を占め、左長手方向縁部及び右長手方向縁部を含む、中央シャーシと、
前記中央シャーシの周りに配設されたベルト構造体であって、前記ベルト構造体が、前記前側領域及び前記後側領域において、前記バックシートの外側まで前記バックシートを覆い、前記ベルト構造体が前記シャーシと重なり合い且つ前記シャーシから横方向及び長手方向外側に延在し、前記ベルト構造体が前記横方向軸に最も近い前記中央シャーシと重なり合う、前記物品の外側表面に下縁シームを形成し、前記ベルト構造体が前記横方向軸から最も離れた前記中央シャーシと重なり合う、前記物品の内側表面に上縁シームを形成する、ベルト構造体と、を含み、
前記ベルト構造体が、前側腰部縁部、前側左側縁部、及び前側右側縁部を有する前側部分を有し、第１の図形物体を更に含み、
前記ベルト構造体が、後側腰部縁部、後側左側縁部、及び後側右側縁部を有する後側部分を有し、
それぞれの前記前側左側縁部及び前記後側左側縁部並びにそれぞれの前記前側右側縁部及び前記後側右側縁部がサイドシームにおいて接合され、前記ベルト構造体が、前記吸収性物品が閉じた形態であるように、腰部開口部、左脚部開口部及び右脚部開口部を形成し、
前記第１の図形物体の遠位縁部からサイドシームまでの距離が０ｍｍ〜１０ｍｍである、吸収性物品。
【請求項１０】
前記後側ベルト部分が第２の図形物体を含む、請求項９に記載の吸収性物品。
【請求項１１】
前記第２の図形物体の遠位縁部からサイドシームまでの距離が０ｍｍ〜１０ｍｍである、請求項１０に記載の吸収性物品。
【請求項１２】
前記吸収性物品が第１のパッケージ内にあり、第２の吸収性物品が第２のパッケージ内にあり、前記第１の物品及び前記第２の物品が閉じた形態であり、前記第１の物品及び前記第２の物品が、異なる腰部開口部の外周及び／又は製品ピッチを含み、前記吸収性物品の前記中央シャーシ及び前記第２の吸収性物品の第２の中央シャーシが、少なくとも実質的に同一である、請求項１１に記載の吸収性物品。
【請求項１３】
前記吸収性物品が第１のパッケージ内にあり、第２の吸収性物品が第２のパッケージ内にあり、前記第１の物品及び前記第２の物品が閉じた形態であり、前記吸収性物品が恒久的なサイドシームを有し、前記第２の吸収性物品が再締結可能なサイドシームを含む、請求項１１に記載の吸収性物品。
【請求項１４】
請求項１２に記載の第１のパッケージ及び第２のパッケージを含む、吸収性物品の群。
【発明の詳細な説明】
【技術分野】
【０００１】
本開示は、一般に、弾性ベルトと、中央シャーシと、図形と、を含むプルオン使い捨て吸収性物品に関する。
【背景技術】
【０００２】
現在販売されている吸収性物品パンツのデザインの特定のタイプは、「バルーン」パンツと呼ばれることがある。バルーンパンツのデザインは、通常、中心の吸収性シャーシ及び弾性ベルトを含む。この弾性ベルトは、通常、比較的（長手方向で）幅広であり、横方向で弾性的に延伸可能である。それは完全に着用者の腰部を取り囲み、それによって、着用者の皮膚の比較的広い領域を覆い、更にパンツの目視できる外側表面の比較的大きな部分を占める。中心のシャーシ部分は通常、前側でベルト内部に接合されており、脚部の間で着用者の下部胴体を覆い包み、後側でベルト内部に接合されている。したがって、バルーンパンツは、別個の物品構成要素を編成したものである。吸収性物品構成要素の組み込み方法のために、物品の目に見える表面でさえも、オーバーラップ又は接続のシーム又は領域を有することがある。したがって、シームを目立たせず、総合的な下着のような外観を作り出す様式で、吸収性物品構成要素から別の構成要素へと続くように、複数の吸収性物品構成要素に図形を含む吸収性物品を作製することは困難である。多構成要素構造が一体型構造であるように見え、シームを目立たせず、プロセス変動を隠蔽するように、これらの個々の構成要素に図形を配置し、これらを整列させることも困難である。
【発明の概要】
【発明が解決しようとする課題】
【０００３】
したがって、構成要素を有するベルト付き物品への図形の配置に関するいかなる改善も、その外観及び機能を向上させ得、製造者に利点をもたらすであろう。
【図面の簡単な説明】
【０００４】
【図１】ベルト付き物品の一例の斜視図である。
【図２】ベルトの前後部分を接合する前の、ベルト付き物品の前駆構造の概略平面図である。
【図３】様々な図形物体を有するベルト付き物品の前駆構造の概略平面図である。
【図４】様々な図形物体を有するベルト付き物品の前駆構造の概略平面図である。
【図５】図形物体を有するベルト付き物品の前駆構造の部分概略平面図である。
【図６ａ】ベルト付き物品の中央シャーシの概略平面図である。
【図６ｂ】ベルト付き物品の前側ベルト部分の概略平面図である。
【図６ｃ】図６ａの中央シャーシと組み合わせた、図６ｂの前側ベルト部分の概略平面図である。
【図７】様々な図形物体を有するベルト付き物品の概略側面図である。
【図８】図７のベルト付き物品の概略上面図である。
【図９ａ】ベルト付き物品の概略上面図である。
【図９ｂ】図９ａのベルト付き物品の概略側面図である。
【発明を実施するための形態】
【０００５】
本明細書で開示される吸収性物品の構造、機能、製造、及び使用の原理の総合的な理解を提供するために、ここで、本開示の様々な非限定的実施形態が説明される。これらの非限定的実施形態の１つ以上の実施例が、添付図面に示されている。当業者であれば、本明細書で説明され、且つ添付図面に示される吸収性物品が、非限定的な例示的実施形態であり、本開示の様々な非限定的実施形態の範囲は、特許請求の範囲によってのみ定義されることが理解されるであろう。１つの非限定的実施形態に関連して図示又は説明される特徴は、他の非限定的実施形態の特徴と組み合わせることができる。そのような修正及び変形は、本開示の範囲内に含まれるものとする。
【０００６】
本開示を理解する上で、以下の用語説明が有用であり得る。
【０００７】
「吸収性物品」とは、尿、糞便、及び／又は経血を吸収して収容するために、乳幼児及び他の失禁症の個人によって一般に着用される、プルオン衣類を指す。しかしながら、吸収性物品という用語はまた、トレーニングパンツ、失禁用ブリーフ、女性用衛生衣類、又は、パンティなどの、他の衣類にも適用可能であることを理解されたい。一部の実施形態では、「吸収性物品」とは、テープ式おむつを指す場合がある。
【０００８】
用語「弾性」、「エラストマー」、及び「エラストマーの」とは、一般的に、破断又は破裂することなく、少なくとも５０％の歪みまで伸展することが可能な材料であって、その変形力が解除された後に、その本来の寸法まで実質的に回復することが可能な材料を指す。
【０００９】
本明細書で使用するとき、「図形」とは、着色されていても、着色されていなくてもよい、物体の形成物を指す。しかしながら、図形は、物体の形成物が存在しない、色のみの領域を含まない。
【００１０】
本明細書で使用するとき、「図形吸収性物品構成要素」とは、図形を含む吸収性物品の構成要素を指す。図形吸収性物品構成要素は、色によるアクセントなどの色、又は物体の一部を形成しない色の領域を更に含んでよい。
【００１１】
「横方向」とは、パンツ及びその着用者に関しては、その着用者の身長に対して概ね垂直の方向、又は着用者が起立している場合の水平方向を指す。「横方向」はまた、前側腰部縁部の中点から後側腰部縁部の中点に延びる線に対して、概ね垂直の方向でもある。
【００１２】
「長手方向」とは、パンツ及びその着用者に関しては、その着用者の身長と概ね平行の方向、又は着用者が起立している場合の垂直方向を指す。「長手方向」はまた、前側腰部縁部の中点から後側腰部縁部の中点に延びる線に対して、概ね平行の方向でもある。
【００１３】
本明細書で使用するとき、用語「プルオン衣類」とは、画定された腰部開口部と一対の脚部開口部とを有する着用物品であって、その脚部開口部の中に脚を挿入し、その物品を腰部の上に引き上げることによって、着用者の身体上へと引き寄せられる、着用物品を指す。用語「使い捨て」は、本明細書では、洗濯するか又は他の方法で衣類として復元若しくは再使用することが意図されていない（すなわち、それらは、単回使用の後に廃棄され、好ましくは、リサイクルされるか、堆肥化されるか、又は他の方法で、環境に適した方式で処分されることが意図されている）衣類を説明するために使用される。このプルオン衣類はまた、好ましくは、身体から排出された様々な滲出物を吸収して収容するために、「吸収性」でもある。この吸収性物品の好ましい実施形態は、図１に示される、使い捨て吸収性プルオン衣類である。
【００１４】
本明細書で使用するとき、「シーム縁部」とは、第１の図形吸収性物品構成要素上の図形の遠位点と第２の図形吸収性物品構成要素の重なり縁部との距離を指す。
【００１５】
用語「基材」は、本明細書では、本来２次元的であり（すなわち、ＸＹ平面内にあり）、その長さ（Ｘ方向）及び幅（Ｙ方向）と比較して、その厚さ（Ｚ方向）が相対的に小さい（すなわち、１／１０以下の）材料を説明するために使用される。非限定的な基材の例としては、例えば、ウェブ、繊維性材料の（１つ以上の）層、不織材、並びに、ポリマーフィルム又は金属箔などの、フィルム及び箔が挙げられる。これらの材料は、単独で使用される場合もあり、又は、一体に積層された２つ以上の層を備えている場合もある。それゆえ、ウェブは、１つの基材とすることができ、又は２つ以上の基材の積層体とすることもできる。
【００１６】
本明細書で使用するとき、「目に見える内側表面」とは、目に見える身体に面する表面（例えば、トップシート）を指す。目に見える内側表面は、複数の層を含んでよい。
【００１７】
本明細書で使用するとき、「目に見える外側表面」とは、吸収性物品の着用時に目に見える吸収性物品の外側に面する表面（例えば、外側カバーの衣類に面する側面）を指す。目に見える外側表面は、複数の層を含んでよい。
【００１８】
本明細書で使用するとき、「図形全体」は、吸収性物品構成要素の仕上げ又は別の吸収性物品構成要素と重なり合う構成要素によって中断されない、完全な図形を指す。
【００１９】
物品
多くの既存の吸収性パンツは、中央シャーシ構造体のバックシート及びトップシートが、前側での着用者の臍付近の領域内、及び後側での胴部のくびれ付近の領域内の、そのパンツの前側腰部縁部及び後側腰部縁部まで延在して、それら前側腰部縁部及び後側腰部縁部を形成するように構造化されている。分離した別個のサイドパネル／臀部パネルが、中央シャーシ構造体の長手方向（側方）縁部に、その前側領域及び背側領域で接合され、それらのパネルを接合することにより、パンツ構造体が形成される。
【００２０】
吸収性パンツに関する代替的構成は、中央シャーシ構造体が、そのパンツの前側腰部縁部及び後側腰部縁部まで延在せず、それら前側腰部縁部及び後側腰部縁部を形成しない構成である。むしろ、伸縮性のベルト構造体が、着用者の腰部を完全に取り囲み、そのパンツ全体の周りの腰部縁部、及びサイドパネル／臀部パネルを形成する。中央シャーシは、その端部が、ベルト構造体の腰部縁部の若干下方の、前側腰部領域及び後側腰部領域内の場所に配置された状態で、通常はベルト構造体の内側で、そのベルト構造体に接合される。この弾性ベルトは、通常、比較的（長手方向で）幅広であり、横方向で弾性的に延伸可能である。この弾性ベルトは、着用者の腰部を完全に取り囲むことにより、比較的多大な分量の着用者の皮膚が覆われる。この構成は、往々にして、「ベルト」又は「バルーン」構成として知られるものである（以降では、「ベルト」構成）。
【００２１】
図１は、ベルト構成を有する使い捨て吸収性パンツ１０の、一般的な簡略化斜視図である。パンツ１０は、中央シャーシ２０、及びベルト構造体３０を含み得る。ベルト構造体３０は、横方向で弾性的に伸展可能であることにより、着用の容易性、及び着用後の密着した快適なフィットのための、弾性的な延伸性を提供することができる。央シャーシ２０は、着用者に面する液体透過性トップシート（図１では具体的には示さず）、外側若しくは衣類に面するバックシート（図１では具体的には示さず）、及び、それらトップシートとバックシートとの間に挟み込まれるか若しくは封入された、吸収性コア（図１では具体的には示さず）を含み得る。横方向で対向し、長手方向に延在する、一対のバリアカフ２５もまた、中央シャーシの股部領域内で、中央シャーシと共に、トップシートに隣接して配設して含めることができる。一般に、中央シャーシ及びバリアカフは、限定するものではないが、米国特許第８，９３９，９５７号、及びその優先権を主張する出願（１つ以上）で説明されるものなどの、使い捨ておむつ、トレーニングパンツ、及び成人失禁用パンツに好適なレッグカフ構造体を含めた、任意の構成体及び構成要素を有し得る。
【００２２】
ベルト構造体３０は、前側部分３１及び後側部分３２を有し得る。前側部分３１及び後側部分３２は、それぞれの左サイドシーム３３Ｌ及び右サイドシーム３３ｒで、一体に接合することができる。ベルト構造体３０は、腰部開口部１５を画定する、前側腰部縁部１１及び後側腰部縁部１２、並びに、パンツ１０の左脚部開口部縁部１３ｌの少なくとも一部及び右脚部開口部縁部１３ｒの少なくとも一部を形成し得る。
【００２３】
図１では、下端シーム２９で、ベルト３０はパンツの股部領域４５には至らない。股部領域４５は、前側部分又は後側部分のいずれとも重ならない中央シャーシ２０の部分として定義される。
【００２４】
図２は、図１に示されるパンツ１０の、前駆構造の簡略化平面図であり、前側部分３１及び後側部分３２を、それぞれの側縁部３４Ｌ、３５Ｌ及び側縁部３４ｒ、３５ｒに沿って接合する前を示すものである。パンツの内側表面が示されている。前側下縁シーム２９及び後側下縁シーム２９’は、股部領域４５の境界を形成する。下縁シーム２９及び２９’は、前側及び後側ベルト部分が、横方向軸ＬＡに最も近い中央シャーシと重なり合う位置に形成される。下縁シーム２９及び２９’は、物品の外側表面に位置している。前側部分３１を含む前側領域３１ａ、及び後側部分３２を含む後側領域３２ａは、それぞれ、この前駆構造の長手方向全長の、２５パーセント〜４０パーセントの範囲を含み得るものであり；それに応じて、股部領域４５は、この前駆構造の長手方向全長の、２０パーセント〜５０パーセントの範囲を含み得るものであり、その少なくとも一部分は、横方向軸ＬＡに位置している。前側上縁シーム２８及び後側上縁シーム２８’は、前側及び後側ベルト部分が、横方向軸ＬＡから最も離れた中央シャーシと重なり合う物品の内側表面に形成される。
【００２５】
パンツ１０を形成するために、この前駆構造を、横方向軸ＬＡに沿って折り畳むことにより、前側領域３１ａ及び後側領域３２ａ、並びに前側部分３１及び後側部分３２を一体に引き寄せることができ、それにより、それらの側縁部３４Ｌ、３５Ｌ、及び側縁部３４ｒ、３５ｒを、それぞれ、シーム３３Ｌ、３３ｒで（図１に示されるように）接合することができる。シーム３３Ｌ、３３Ｒは、接着剤、熱結合、圧着、若しくは超音波結合、及びこれらの組み合わせによって形成することができる。代替的実施例では、これらのシームは、シームが再締結可能であるように、側縁部３４ｒ、３５ｒ及び側縁部３４Ｌ、３５Ｌに沿って配設された、協働する面ファスナ式締結構成要素の対などの、機械的締結具によって形成することができる。締結具としてはまた、テープタブ、タブ＆スロットなどの相互係止締結具、バックル、ボタン、スナップ、及び／又は雄雌同体締結構成要素も挙げることができる。
【００２６】
物品、場合によってはシャーシは、その内側の、着用者に面する表面の少なくとも一部分を形成する液体透過性トップシートを有してよい。トップシートは、好ましくは柔軟であり、且つ敏感な皮膚に適合する不織布ウェブ材料で形成することができ、例えば、米国特許出願第１２／８４１，５５３号で説明されるものなど使い捨ておむつ、トレーニングパンツ、及びインサートで使用されるトップシートの特長部のいずれかで形成することができ、且つそれらの特長部のいずれかを有し得るものである。シャーシ２０はまた、液体不透過性とすることが可能な、外向きに面するバックシートも有し得る。バックシートは、例えば、直前に参照された米国特許出願で説明されるものなど使い捨ておむつ及びトレーニングパンツで使用されるバックシートの特長部のいずれかで形成することができ、且つそれらの特長部のいずれかを有し得るものである。シャーシ２０はまた、トップシートとバックシートとの間に配設された、吸収性コアも有し得る。吸収性コアは、１つ以上の吸収性捕捉材料、分配材料、並びに貯蔵材料の層及び／又は構成要素を含み得る。吸収性コア２３は、例えば、直前に参照された米国特許出願で説明されるものを含めた、使い捨ておむつ及びトレーニングパンツ内で使用される吸収性コアの特長部のいずれかで形成することができ、且つそれらの特徴部のいずれかを有し得るものである。ベルト構造体は、ベルトの内側層及び外側層をそれぞれ形成する不織布ウェブの層で形成され得、不織布ウェブの層は、エラストマー材料の複数のストランドなど１つ以上の弾性部材を挟み得る。本発明で有用であり得る好適な不織布ウェブ材料及び好適な弾性材料には、米国特許出願第１４／７２６，８１２号に説明されているものが挙げられる。図２で示唆されるように、シャーシ２０は、ベルト構造体３０、その内側の、着用者に面する側に付着され得る。シャーシ２０は、接着剤、熱結合／溶着、機械的締結具、又はこれらの組み合わせによって、ベルト構造体３０に結合することができる。ベルト構造体は、フラップと称されてよい。これらの物品構成要素の一部は、以下でより詳細に論じられる。
【００２７】
図形物体
吸収性物品構成要素は、１つ以上の図形を含んでよく、より具体的には「図形吸収性物品構成要素」と呼ばれることがある。図形には、文字、数字、記号、アイコン、哺乳類の表現物、動物の表現物、昆虫の表現物、魚の表現物、車両の表現物、幾何学的図形（例えば、円形、三角形、四角形、矩形、直線及び波線など）、アニメーション、写真画像、植物の表現物、風景の表現物、パターン（対称又はランダム）、繊維状のプリント又はパターン、葉の表現物、擬人化表現物、並びに米国特許出願公開第２００６／０２４７５９４号に説明されている図形が挙げられるが、これらに限定されるものではない。加えて、図形は教育的であってよい。
【００２８】
図形は、レリーフ印刷（凸版印刷及びフレキソなど）、平版印刷（オフセットリソグラフィ、スクリーンレスリソグラフィ、コロタイプ、及び水なし印刷）、凹版印刷（グラビア、スチールダイ、及び銅版彫刻）、ステンシル及びスクリーン印刷、並びに電子印刷（正電印刷、磁気印刷、イオン又は電子蒸着印刷、及びインクジェット印刷）が挙げられるが、これらに限定されない多数の印刷技術及びプロセスを使用して吸収性物品構成要素に適用されてよい。図形は、米国特許第５，６１２，１１８号に更に説明されているように、吸収性物品構成要素の弛緩状態又は伸張状態（伸縮性、弾性、又は伸張性の図形吸収性物品構成要素の場合）の吸収性物品構成要素に適用されてよい。
【００２９】
図３は、中央シャーシ２０と重なり合う前側ベルト部分３１を示す概略図である。この図は物品の外側表面を見ており、下縁シーム２９及び上縁シーム２８を示している。第１の図形物体１３０１０は中央シャーシに位置しており、遠位縁部３２６を有する。
【００３０】
シーム、例えば下縁シーム及び／又は上縁シームの影響は、特定の図形とシームとの距離を最小化することにより低減され得る、又は目立ちにくくされ得る。図３では、Ｄ−１は、第１の図形物体の遠位縁部と上縁シームとの距離を示す。Ｄ−１は約５０ｍｍ〜約１５０ｍｍであってよい。Ｄ−２は、第１の図形物体の遠位縁部と下縁シームとの距離を示す。Ｄ−２は約２ｍｍ〜約１０ｍｍであってよく、いくつかの実施形態では、Ｄ−２は約５ｍｍであり得る。
【００３１】
いくつかの実施形態では、第１の図形物体は、米国特許出願第１４／０３７，４０４号、同第６２／１４７，２５８号、同第１４／８１９，５０１号、及び同第１４／６６３，４８０号に説明されているものなど濡れインジケータであってよい。漏れインジケータは、不透過層（バックシートフィルム）の内側表面（吸収性コア側）に印刷されてよい。
【００３２】
図３はまた、第２の図形物体１３０１１、１３０１２、及び１３０１３を示しており、前側ベルト部分に全て配置されている。１３０１２又は１３０１３など一部の図形物体は、図形物体のいずれの一部もシームと重ならないように、又はシームに接触しないように配置されてよい。図形物体１３０１３は、中央シャーシと全く重ならないように配置されている。図形物体１３０１２は、その全てが前側ベルト部分に配置されているものの、中央シャーシと重なり合っており、中央シャーシは前側ベルト部分の背後に位置している。図形物体１３０１１も前側ベルト部分に全て配置されているものの、部分的にのみ中央シャーシと重なり合っている。
【００３３】
図４は、下縁シーム２９と重なり合う図形物体を有する物品の、類似の外側表面図を示す。図形物体１３０２０は完全に目に見えている。すなわち、一部は中央シャーシに、一部は前側ベルト部分に配置されているか、印刷されているものの、物品の外側表面に全て配置されている。しかしながら、図形物体１３０２１は、中央シャーシに全て配置されているか、印刷されている。前側ベルト部分は、次いで中央シャーシの上に配置されるため、図形物体１３０２１は部分的に見えなくなる。
【００３４】
図５は、図３に示されている物品など物品の上部、つまり、物品の外側表面を見て、中央シャーシ２０と重なり合うときの前側ベルト部分３１を示す。図５に見られるように、場合によっては、図形物体１３０２２など図形物体は、中央シャーシに印刷されるものの遠位点３２８が下縁シームの約２ｍｍ〜約１０ｍｍ上に位置する、すなわち、下縁シームよりも横方向軸から離れるように中央シャーシに印刷されてよい。図５では、緩衝区域４１０がこの距離を示している。下縁シームの約２ｍｍ〜約１０ｍｍ上の中央シャーシに印刷することにより、印刷プロセスにおける標準的相違によって図形に間隙が生じないようにすることができる。図３又は４の中央シャーシなど中央シャーシを示す図６ａに示されるように、図形物体１３０２３の一部は中央シャーシに印刷されてよく、その約２ｍｍ〜約１０ｍｍは、前側ベルト部分の配置により被覆されるであろう緩衝区域４１０内に位置する。図６ｂは、前側ベルト部分に印刷された図形物体１３０２４を示し、図形物体１３０２４は、図６ｂの前側ベルト部分が図６ａの中央シャーシの上に配置されて、図６ｃの完全な図形物体１３０２２を形成するとき、図６ａの図形物体１３０２３に対応し、これと整列する。
【００３５】
いくつかの実施形態では、上縁シーム２８におけるシャーシの外側不織布はシャーシフィルム層よりも短いため、上縁シーム２８は、シャーシフィルム層によって定義されてよい。上縁シーム２８は、理想的には、緩衝区域の上部にできる限り近い。しかしながら、いずれの場合においても、シャーシの外側不織布は、図形物体の外観を損なわないように、上縁シームよりも下にはならない。同様に、いくつかの実施形態では、内側不織布ベルトは、外側不織布ベルトよりも短くなり得る。つまり、外側不織布ベルトのように横方向軸から離れて延在し得ない。
【００３６】
図７は、側面からのバルーンパンツの概略図である。サイドシーム３３ｒは、前側ベルト部分３１及び後側ベルト部分３２が一体に結合される位置である。遠位縁部４２６を有する図形物体１４０１０は前側ベルト部分に位置し、遠位縁部４２８を有する図形物体１４０１２は後側ベルト部分に位置する。距離Ｓ−１は、図形物体１４０１０の遠位縁部４２６とサイドシーム３３ｒとの距離である。距離Ｓ−２は、図形物体１４０１２の遠位縁部４２８とサイドシーム３３ｒとの距離である。Ｓ−１及び／又はＳ−２を最小化することにより、サイドシームの外観及び存在は、より目立たなくなり得る。Ｓ−１及びＳ−２は約０ｍｍ〜約１０ｍｍであってよく、いくつかの実施形態では、約２ｍｍ〜約１０ｍｍであってよい。
【００３７】
図８は、図７に示されるパンツを異なる視点から示す。サイドシーム３３ｒは、前側ベルト部分３１及び後側ベルト部分３２を接合することにより形成される。例えば下縁シームのような重なり合うシームではなく、このサイドシームは、互いに当接する前側及び後側ベルト部分によって形成される。物品の上部から見下ろす図８に示されるように、前側ベルト部分３１及び後側ベルト部分３２は接合され、物品から外側方向にごくわずかに重なり合い、サイドシーム３３ｒを形成する。図形物体１４０１２は、後側ベルト部分に印刷されている。図形物体１４０１２の遠位縁部４２８からサイドシーム３３ｒの遠方側までの距離Ｓ−２は約０ｍｍ〜約１０ｍｍであってよく、いくつかの実施形態では、約２ｍｍ〜約１０ｍｍであってよい。同様に、図形物体１４０１０の遠位縁部４２６からサイドシーム３３ｒの遠方側までの距離Ｓ−１は約０ｍｍ〜約１０ｍｍであってよく、いくつかの実施形態では、約２ｍｍ〜約１０ｍｍであってよい。Ｓ−１及びＳ−２のいずれも２つの部分（図に示さず）に分割でき、第１の部分はベルト部分（それぞれ前側又は後側）に位置し、第２の部分はサイドシームの当接部分に位置する。第２の部分は、物品の着用者の身体と同一平面上にない、又は身体上で平坦ではないことがあるため、容易には見えないことがある。いくつかの実施形態では、図形物体１４０１２の第１の部分は、図形物体１４０１０の第１の部分と連続して見えるように設計されてよい。Ｓ−１及びＳ−２の第１の部分の長さは、約０ｍｍ〜約１０ｍｍであってよい。図９ａは、図８に類似のパンツの斜視図を示す。図９ａでは、図形物体１４０１４は、前側ベルト部分３１に印刷されており、サイドシーム３３ｒの当接部分にも印刷されている。図９ｂは、図９ａと同一のパンツを側面から示す。この視点からは、図形物体１４０１４は前側ベルト部分でしか見えない。
【００３８】
実施形態では、米国特許出願第１１／９９９，２２９号に開示されているものなど図形物体を有することが望ましいことがある。具体的には、米国特許出願第１１／９９９，２２９号に開示されている図形物体のパターン及び配置は、本発明に組み込まれ得る。米国特許出願第１１／９９９，２２９号に説明されている視認性評点も使用して、特定の図形物体を有するシームの視認性を測定してよい。
【００３９】
図形物体は、外側ベルトの内側表面、つまり、ベルトの外側不織布の内側表面又はシャーシの外側不織布の内側表面に印刷されてよい。図形物体はまた、又はその代わりに、シャーシの中間層（バックシートフィルム）の外側表面のいずれかに配置されてよい。図形物体は、バックシート不織布及びフィルムが積層された後に、印刷されてよい。いくつかの実施形態では、図形物体は、バックシートフィルムの内側表面に印刷され得る漏れインジケータであってよく、この漏れインジケータは、吸収性コアと液体連通している。
【００４０】
図形を印刷し、図形を有する物品構成要素を組み立てる好適な方法は、米国特許出願第１２／４７６，３４８号、同第１４／６３５，１８９号、同第６２／０９３，４５２号、同第６２／０９３，５１６号、同第６２／０９３，６０４号、同第６２／０９３，６２０号、同第６２／０９３，４３８号、同第６２／１４７，００４号、及び同第６２／１４７，００６号に見出すことができる。
【００４１】
トップシート
一実施形態では、吸収性物品はトップシートを含んでよい。トップシートは、柔軟であり、柔らかな感触であり、着用者の皮膚に刺激を与えないものであり得、且つ１つ以上の方向において弾性的に伸縮性であってもよい。更に、トップシートは、液体透過性で、その厚さを通して液体（例えば、経血、尿、及び／又は流動状の糞便）が浸透することができてもよい。様々なトップシートは、例えば、体液が身体から排泄される際に、これらの流体をシャーシの吸収性コア内に引き込むように構成されている親水性材料を更に含んでもよい。好適なトップシートは、広範な材料、例えば、織布及び不織布材料、有孔若しくはハイドロフォーミングされた熱可塑性フィルム、有孔不織布、多孔質発泡体、網状発泡体、網状熱可塑性フィルム、並びに／又は熱可塑性スクリムから製造され得る。好適な有孔フィルムは、米国特許第３，９２９，１３５号、同第４，３２４，２４６号、同第４，３４２，３１４号、同第４，４６３，０４５号、同第５，００６，３９４号、同第５，６２８，０９７号、同第５，９１６，６６１号、同第６，５４５，１９７号、及び同第６，１０７，５３９号に記載されているものを含むことができる。
【００４２】
有孔フィルム又は不織布トップシートは、典型的には、排泄物に対して透過性であるが、非吸収性であり、流体がトップシートを通って戻り着用者の皮膚を再度濡らす傾向を低減することができる。好適な織布及び不織布材料は、天然繊維、例えば、木質繊維若しくは綿繊維、合成繊維等、例えば、ポリエステル、ポリプロピレン若しくはポリエチレン繊維等、又はそれらの組み合わせを含み得る。トップシート８１が繊維を含む場合、当該技術分野において一般的に既知であるとおり、繊維は例えば、スパンボンド、カード、ウェットレイド、メルトブローン、水流交絡、ないしは別の方法で処理されてよい。
【００４３】
トップシートはスキンケアローションを含んでもよい。好適なローションの例としては、限定されるものではないが、米国特許第５，６０７，７６０号、同第５，６０９，５８７号、同第５，６３５，１９１号、同第５，６４３，５８８号、及び同第５，９６８，０２５号に記載されているもの、並びに米国特許出願第６１／３９１，３５３号に記載されているもの、並びに米国特許出願公開第２０１４−０２５７２１６号に記載されているものが挙げられる。これらの組成物以外に、吸収性物品は、米国特許出願公開第２０１４／０２７４８７０号に説明されているもののような可溶性のシクロデキストリン誘導体を含んでもよい。
【００４４】
更に、本開示のトップシートは、米国特許第７，４１０，６８３号に開示されているタフト付きラミネートウェブであってもよく、及び／又は、国際出願日２０１４年８月６日のＰＣＴ／ＣＮ２０１４／０８３７６９号に開示されている有孔ウェブであってもよい。
【００４５】
一実施形態では、トップシートは、米国特許第７，１６３，５２８号に記載されているように深さの知覚を創り出すように、図形を含んでもよい。
【００４６】
バックシート
一実施形態では、吸収性物品はバックシートを含み得る。バックシートは、流体又は身体滲出物（例えば、経血、尿、及び／又は流動状の糞便）に対して不透過性又は少なくとも部分的に不透過性であってもよく、薄いプラスチックフィルムから製造されてもよいが、他の可撓性の液体不透過性材料が使用されてもよい。バックシートは、吸収性物品の吸収性コアに吸収され封じ込められた身体滲出物又は流体が、吸収性物品と接触する物品（例えば、ベッドシーツ、パジャマ、衣類、及び／又は下着）を濡らすことを防ぐことができる。バックシートは、織布若しくは不織布材料、ポリエチレン若しくはポリプロピレンの熱可塑性フィルム等のポリマーフィルム、並びに／又は、フィルム及び不織布材料を含む（例えば、内側フィルム層及び外側不織布層を有する）多層若しくは複合材料を含んでもよい。好適なバックシートは、約０．０１２ｍｍ（０．５ミル）〜約０．０５１ｍｍ（２．０ミル）の厚さを有するポリエチレンフィルムを含み得る。ポリエチレンフィルムの例としては、Ｃｌｏｐａｙ  Ｃｏｒｐｏｒａｔｉｏｎ（Ｃｉｎｃｉｎｎａｔｉ，Ｏｈｉｏ）によって製品名ＢＲ−１２０及びＢＲ−１２１にて、並びにＴｒｅｄｅｇａｒ  Ｆｉｌｍ  Ｐｒｏｄｕｃｔｓ（Ｔｅｒｒｅ  Ｈａｕｔｅ，Ｉｎｄ）によって製品名ＸＰ−３９３８５にて製造されるものがある。
【００４７】
バックシートに好適な１つの材料は、約０．０１２ｍｍ（０．５０ミル）〜約０．０５１ｍｍ（２．０ミル）の厚さを有し、例えばポリエチレン又はポリプロピレンを含む、液体不透過性熱可塑性フィルムであり得る。一般的には、バックシートは、約５ｇ／ｍ２〜約３５ｇ／ｍ２の坪量を有し得る。バックシートは、典型的には、吸収性コアの外側表面に隣接して位置付けられ、吸収性コアの外側表面に接合することが可能である。例えば、バックシートは、接着剤の均一な連続層、接着剤のパターン層、又は接着剤の別個の線、螺旋、若しくは点の配列によって、吸収性コアに固着されてもよい。例示的であるが非限定的な接着剤としては、Ｈ．Ｂ．Ｆｕｌｌｅｒ  Ｃｏｍｐａｎｙ（Ｓｔ．Ｐａｕｌ，Ｍｉｎｎ．，Ｕ．Ｓ．Ａ．）によって製造され、ＨＬ−１３５８Ｊとして市販されている接着剤が挙げられる。接着剤のフィラメントのオープンパターンネットワークを含む好適な取り付け装置の例は、米国特許第４，５７３，９８６号に開示されている。螺旋模様に渦を巻く接着剤フィラメントのいくつかの線を含む別の好適な取り付け装置は、米国特許第３，９１１，１７３号、同第４，７８５，９９６号、及び同第４，８４２，６６６号に示される装置及び方法により例示されている。あるいは、取り付け装置は、熱結合、圧力結合、超音波結合、動的機械的結合、若しくはその他の任意の好適な取り付け装置、又はこれらの取り付け装置の組み合わせを含んでもよい。
【００４８】
一実施形態では、バックシートは、より布様の外観を提供するために、エンボス加工及び／又はつや消し仕上げされてもよい。更に、バックシートは、吸収性物品の吸収性コアから蒸気を逃がす（すなわち、バックシートは通気性である）一方で、依然として流体又は身体滲出物がバックシートを通過することを防ぐか、又は少なくとも阻止することができる。一実施形態において、バックシートの大きさは、例えば、吸収性物品の大きさ、及び形成される吸収性物品の設計又は構成によって決定され得る。
【００４９】
吸収性コア
様々な実施形態において、吸収性物品は、トップシートとバックシートとの間に配設される吸収性コア（「吸収性部材」又は「吸収性アセンブリ」又は「吸収性構造体」又は「吸収性複合体」とも呼ばれる）を含んでよい。吸収性コアは、前側腰部区域において横方向に延びる前縁部と、長手方向に対向し且つ後側腰部区域において横方向に延在する後縁部と、第１の長手方向に延在する側縁部と、横方向に対向し且つ第２の長手方向に延在する側縁部と、を含んでよい。側縁部の両方は、前縁部と後縁部との間で長手方向に延在してよい。一実施形態では、例えば、１つを超える吸収性コア、又は１つを超える吸収性コア層が、吸収性物品に設けられてよい。吸収性コアは、吸収性物品と適合可能な任意の好適なサイズ又は形状であってよい。広く受け入れられ、商業的に成功した、本開示の吸収性コアとして使用される代表的な吸収性構造体が、米国特許第４，６１０，６７８号、同第４，６７３，４０２号、同第４，８８８，２３１号、及び同第４，８３４，７３５号に記載されている。
【００５０】
一実施形態において、好適な吸収性コアは、セルロース系エアフェルト材料を含み得る。例えば、このような吸収性コアは、約４０重量％、３０重量％、２０重量％、１０重量％、５重量％又は更に１重量％未満のセルロース系エアフェルト材料を含み得る。更に、このような吸収性コアは主に、少なくとも６０重量％、７０重量％、８０重量％、８５重量％、９０重量％、９５重量％又は更には約１００重量％の量の吸収性ゲル化材料からなり得る。更に、吸収性コアの一部は、マイクロファイバー接着剤を含んでもよい（適用可能である場合）。そのような吸収性コア、マイクロファイバー接着剤、及び吸収性ゲル化材料は、米国特許第５，５９９，３３５号、同第５，５６２，６４６号、同第５，６６９，８９４号、同第６，７９０，７９８号、及び同第７，５２１，５８７号、並びに米国特許公開第２００４／０１５８２１２号に記載されている。
【００５１】
一実施形態において、コアシステムを構成する複数の層を含むコアは、米国特許第８，５３６，４０１号に記載されているように印刷及びエンボス加工されてもよい。
【００５２】
一実施形態において、コアは、米国特許第６，９８９，００６号、同第７，３８１，２０２号、同第７，１７５，６１３号、同第７，８２４，３８６号、同第７，７６６，８８７号、及び同第６，９８９，００５号に開示されているように、シャーシから分離可能であってもよい。そのような実施形態では、本開示に記載されている測定は、シャーシのみに対して行われてもよく、又はシャーシと分離可能なコア／吸収性アセンブリとの組み合わせに対して行われてもよい。
【００５３】
一実施形態において、本開示の吸収性物品、特に、吸収性部材が配置されている部分は、米国特許第６，６４９，８１０号により、３ｇ／秒を超える体液吸収速度を有してもよい。米国特許第６，６４９，８１０号によると、「吸収性部材が配置されている（吸収性物品の）部分」という表現は、吸収性物品が平らに広げられてその平面図で見たときに、吸収性部材によって占められている部分を意味することが意図される。
【００５４】
一実施形態において、吸収性構造体は、米国特許第７，０７３，３７３号により、３を超える吸収係数を有してもよく、この吸収係数は、吸収性コアの透過性を、正規化された保持能力（これは、保持能力試験によって、また米国特許第７，０７３、３７３号によって規定される）で割ったものと定義される。
【００５５】
一実施形態において、吸収性複合体は、米国特許第６，６４９，８１０号により、７５ｇ／１００ｃｍ２を超える体液吸収性を有する。
【００５６】
一実施形態において、吸収性物品の対象位置は、米国特許第６，３８３，９６０号により、３６％を超える吸上値を有し得る。
【００５７】
一実施形態において、吸収性物品は、米国特許第５，８１０，７９６号により、０．０５〜１．０ｇｆの曲げ剛性を有し得る。
【００５８】
一実施形態において、吸収性物品は、米国特許第６，６４９，８１０号により、３ｇ／秒を超える股部流体吸収速度を有し得る。一実施形態において、吸収性複合体の凍結乾燥した複合材料は、米国特許第６，６８９，９３４号により、８０％複合材料飽和レベルにおいて、少なくとも約１．９立方センチメートル（ｃｃ）の液体／秒の吸水率を有し得る。
【００５９】
いくつかの実施形態において、吸収性コアは、米国特許第８，５６８，５６６号、米国特許公開第２０１２／３１６０４６号、同第２０１４／０２７０６６号、同第２０１４／１６３５００号、同第２０１４／１６３５０６号、同第２０１４／１６３５１１号、同第２０１２／３１６５２６号、同第２０１２／３１６５２７号、同第２０１２／３１６５２８号、同第２０１２／３１６５２９号、同第２０１２／３１６５２３号、同第２０１４／１６３５０１号、同第２０１４／１６３５０２号、同第２０１４／１６３５０３号、並びに欧州特許公開第２５３２３２８号、同第２５３２３２９号、同第２７１７８２３号、同第２７１７８２０号、同第２７１７８２１号、同第２７１７８２２号、同第２５３２３３２号、同第２７４０４４９号、及び同第２７４０４５２号に記載されているチャネルを含み得る。
【００６０】
いくつかの実施形態では、吸収性層は、吸収性層の長手方向寸法において吸収性層の厚さを通って延在する、吸収性ポリマー粒子を実質的に含まない、少なくとも２つのチャネルを含む。吸収性層の長手方向寸法において延びるとは、チャネルが本質的に長手方向寸法に延びていることを意味し、すなわちこれらは横方向寸法よりも長手方向寸法に延びている（例えば、長手方向に横方向寸法の少なくとも２倍）。
【００６１】
本明細書において使用するとき「チャネル」とは、吸収性ポリマー粒子（粒子又は繊維）を実質的に含まない、吸収性層の厚さを通って延在する、吸収性コアの１つ以上の吸収性層の別個の部分を指し、すなわち、吸収性構造体のこのようなチャネル（長手方向主要チャネル、又は二次チャネル）内には、吸収性ポリマー粒子は意図的に配置されない。しかしながら、ごく少量の吸収性ポリマー粒子が意図せずしてチャネル内に存在する場合があることが理解されるべきであり、これは、全体的な機能性（例えば、吸収性構造体の吸収性）に著しく寄与しない可能性がある。典型的に、チャネルは２つの横方向縁部（最も短い寸法）、及び横方向縁部の間を延びる２つの長手方向縁部（最も長い寸法）を有する。チャネルの横方向縁部は、直線的（すなわち、長手方向側縁部に対して垂直）、角度付き、又は曲線的であり得る。チャネルは、少なくとも３ｍｍの平均幅ｗを有し得（チャネルの平均は、長手方向側縁部間の平均距離として規定される）、又は吸収性層の幅の少なくとも４％を有し得る。
【００６２】
チャネルは恒久的であってもよい。恒久的とは、チャネルの一体性が乾燥状態及び湿潤状態の両方において少なくとも一部維持されること、すなわち、チャネルは、おむつの着用者の動きにより生じる外力に対して抵抗性があることを意味する。恒久的なチャネルは、例えば、吸収性層全体に熱可塑性接着材を塗布することによって、基材層上に吸収性ポリマーを固定化することによって得られる。本開示の吸収性層は、特に、チャネルを介して第１の基材層と第２の基材層とを接合することによって形成された恒久的なチャネルを含んでよい。典型的には、チャネルを介して両基材層を接合するために接着剤を使用することができるが、例えば、超音波接着、圧力接着、熱接着など、他の既知の手段によって接合することが可能である。支持層は、チャネル内で連続的に接合されてもよいし、断続的に接合されてもよい。
【００６３】
いくつかの実施形態では、米国特許出願第６２／１０４，３３０号に開示されているもののように、チャネルを有する吸収性コアを含む物品の群を有することが望ましくあり得る。
【００６４】
レッグカフ
一実施形態では、吸収性物品のシャーシは、長手方向に延在し、且つ横方向に対向するレッグカフを含んでもよく、これらは、着用者の方へと内側に向かい且つ着用者と接触するシャーシの内面に配設される。レッグカフは、レッグカフの一方又は両方の近位縁部に又はこれに隣接して配設された、１つ以上の弾性ギャザー部材を含んでよい。加えて、レッグカフの弾性ギャザー部材はまた、レッグカフの一方又は両方の遠位縁部に又はこれに隣接して配設された１つ以上の弾性ストランドを含んでよい。弾性レッグカフは、脚部区域における排泄物又は流体の漏れを低減するためのいくつかの実施形態を含んでよい。弾性レッグカフは、レッグバンド、バリアカフ、弾性カフ、又はガスケッティングカフと呼ばれることがある。好適な弾性レッグカフは、米国特許第３，８６０，００３号、同第４，９０９，８０３号、同第４，６９５，２７８号、同第４，７９５，４５４号、同第４，７０４，１１５号、及び同第４，９０９，８０３号、並びに米国特許出願公開第２００９／０３１２７３０号に記載されるものを含んでよい。レッグカフはシャーシの一部を横方向に内側へ、すなわち、長手方向軸に向かって折り畳むことにより形成され、シャーシのそれぞれのレッグカフ及び側縁部を形成してよい。他の実施形態では、レッグカフは、シャーシの各側縁部のそれぞれに、又はそれらに隣接して、追加の層をシャーシに取着することによって形成されてもよい。一実施形態では、シャーシはまた、側縁部に隣接して配設された他の弾性体を含んでもよく、この弾性体は、弛緩させて、それによって前側腰部区域の内面を後側腰部区域の内面に向けて引っ張るときに、物品が「Ｕ」字型の形状を形成するようにすることができる。
【００６５】
一実施形態では、各レッグカフは、近位縁部を含んでよい。これらの縁部は、遠位縁部と比較して、長手方向軸の付近に位置付けられる。レッグカフは、吸収性コアと重なっていてもよく、すなわち、近位縁部は、吸収性コアのそれぞれの側縁部の横方向内側に位置する。このような重なり合った構成は、重なり合わない構成で付与される外観よりも完成品に近い外観を吸収性物品に付与するために望ましくあり得る。他の実施形態では、レッグカフは、吸収性コアと重ならなくてよい。
【００６６】
一実施形態では、各レッグカフは、前側腰部端縁部に隣接したレッグカフ取り付け区域（図示せず）で、且つ後側腰部端縁部に隣接した長手方向に対向するレッグカフ取り付け区域（図示せず）で、シャーシの内面に取り付けられることができる。一実施形態では、レッグカフ取り付け区域間において、レッグカフの近位縁部は自由のままである（すなわち、シャーシの内面又は吸収性コアに取り付けられていない）。また、長手方向に対向するレッグカフ取り付け区域間において、各レッグカフは、１つ以上の（特に、１つのレッグカフにつき１つ、２つ、３つ又は４つの弾性ストランドを含む）長手方向に伸縮性のカフ弾性ギャザー部材を含んでもよく、これらは、任意の好適な方法により、レッグカフの近位縁部に、又はこれと隣接するように配設され得る。かかるカフ弾性ギャザー部材のそれぞれが、レッグカフの全長にわたって、又はレッグカフの長さの一部のみにわたって取り付けられてよい。例えば、かかるカフ弾性ギャザー部材は、レッグカフの長手方向に対向する端部において、又はその付近で取り付けられてよく、且つレッグカフ長さの中央において取り付けられていなくてよい。かかるカフ弾性ギャザー部材は、股部区域に配設されてよく、また前側腰部区域及び後側腰部区域の一方又は両方の中まで延在してよい。例えば、弾性ギャザー部材は、レッグカフのそれぞれの近位縁部で、又はこれに近接するように取り付けられてよく、前側腰部区域及び後側腰部区域の両方の中まで延在する。
【００６７】
様々な実施形態では、各カフ弾性ギャザー部材は、例えば、折り畳まれたヘムの内部に包囲されてよい。様々な実施形態において、カフ弾性ギャザー部材は、レッグカフを形成する２つの層の間に、シャーシの２つの層によって挟まれてよく、又はシャーシ若しくはレッグカフの表面上に取り付けられ、露出されたままであってもよい。
【００６８】
一実施形態では、各レッグカフの近位縁部に隣接して配設されたカフ弾性ギャザー部材は、伸張されると、レッグカフ近位縁部が、シャーシの平坦な非収縮長さ（例えば、シャーシの長さ）まで延びることを可能にする。弛緩させたとき、カフ弾性ギャザー部材は収縮して前側腰部区域及び後側腰部区域を互いに向かって引っ張り、それによって物品を「Ｕ」字型に曲げ、ここで「Ｕ」字型の内側は、着用者の身体に向けて配置されるように意図される物品の部分（すなわち、内面）によって形成され得る。近位縁部のそれぞれは、長手方向に方向付けられるレッグカフ取り付け区域間において自由なままであるため、弾性ギャザー部材の収縮力は、レッグカフの近位縁部を、シャーシの内面から離すようにして持ち上げることができる。物品が弛緩状態であるとき、近位縁部がこのように持ち上がると、レッグカフは、排泄物の漏れを防止する、又は少なくとも阻止する、サイドバリアとして機能する位置に持ち上がる。
【００６９】
許容可能なレッグカフの例は、２０１２年４月２７日出願の米国特許仮出願第１３／４５７，５２１号に開示されている（‘５２１出願の図８ａ〜ｔに開示されている構成を含む）。
【００７０】
ウエストバンド
一実施形態では、物品は、弾性ウエストバンドを含んでよい。弾性ウエストバンドは、改善されたフィット性及び収容性を提供してよく、且つ弾性的に拡張し、横方向に収縮して着用者の腰部に動的にフィットするように構成されてよい。弾性ウエストバンドは、吸収性物品の腰縁部から、吸収性コアの腰縁部に向かって長手方向に延在してよい。一実施形態では、吸収性物品は、２つの弾性ウエストバンドを有してよく、１つは後側腰部区域内に位置付けられ、もう１つは前側腰部区域内に位置付けられるが、他のパンツ実施形態は、単一の弾性ウエストバンドで構成されてよい。弾性化したウエストバンドは、米国特許第４，５１５，５９５号及び同第５，１５１，０９２号に記載されるものを含む、多くの異なる構成で構築されることができる。
【００７１】
一実施形態において、弾性化したウエストバンドは、「予め歪ませた」又は「機械的に予め歪ませた」（すなわち、材料を恒久的に伸長させるため、ある程度の局所的パターンで機械的に伸長された）材料を含んでもよい。材料は、好適な深いエンボス加工技術を使用して予め歪ませてもよい。他の実施形態において、材料は、米国特許第５，３３０，４５８号に記載される漸増機械的伸長システムによって材料を方向付けることによって予め歪ませてもよい。材料は、その後、それらの実質的に張力がない状態まで戻されてもよく、したがって、少なくとも最初の伸張点まで延伸性がある、ゼロ歪みの伸張材料が形成される。ゼロ歪み材料の例が、米国特許第２，０７５，１８９号、同第３，０２５，１９９号、同第４，１０７，３６４号、同第４，２０９，５６３号、同第４，８３４，７４１号、及び同第５，１５１，０９２号に開示されている。
【００７２】
フラップ
フラップは、シャーシとは別個であっても、又はシャーシと一体化していてもよい。別個のフラップは、シャーシに結合される分離要素として形成される。いくつかの実施形態では、これは、シャーシの前側及び後側腰部領域にわたって、少なくともシャーシの端縁部にわたって、結合されている前側及び／又は後側ベルト状フラップを含んでよい。いくつかの実施形態では、ウエストバンドはフラップと重なり合って、連続したベルト状構造体を形成することができる。
【００７３】
ベルト状フラップは、内側不織布層及び外側不織布層、並びにそれらの間に弾性体を含んでもよい。内側及び外側不織布層は、接着剤又は熱可塑性結合剤を使用して結合され得る。様々な好適なベルト状フラップ構成は、米国特許公開第２０１３−０２１１３６３号に見出すことができる。
【００７４】
一体化されたフラップは、長手方向縁部から横方向外側に突出するシャーシの一部（１つ以上の層）である。一体化されたフラップは、シャーシを切断してフラップの突起部の形状を含むことによって形成され得る。
【００７５】
このベルト状フラップを有する適用例で説明した実施形態の多くはパンツ型物品であるが、テープ型物品も同様に一方又は両方の腰部区域に配置されたベルト状フラップを有することができる。
【００７６】
フラップの構造は、吸収性物品の機能性において重要な役割を果たし、下着に使用される弾性体とは根本的に異なる。前述したように、ＳＵＩ及びＵＵＩなどの失禁事象は、高流量及び／又は充満した膀胱からの放出をもたらし得る。失禁事象中に排出される尿の量は、尿失禁の種類、並びに最後にトイレに行ってからの時間、摂取した流体の量、日中又は夜間等といった他の状況によって大きく異なる。充填量は、数滴の尿から６００ｍＬまで様々であり得る。１回の充填量が３００、４００、及び更には５００ｍＬに達することも珍しくはない。これらの充填量レベルは、４ニュートン（１ポンド）以上になり得る充填量に付随して、かなり大きな下方向への力を呈する。この下方向への力は、弛み、空所化、及び漏れを最小限にするために、吸収性物品シャーシによって相殺されなければならない。充填後にも物品のフィット感を維持するために、物品は、物品のサイドシームに近接し、且つこれらに沿って配設され、片側から他側に向かって横方向に延在する、エラストマー要素（フィルム及び／又はストランドなど）を含む。これらのエラストマー要素（１つ又は複数）は、物品を固定するのに十分な垂直力を、身体に対して生じさせなければならない。エラストマー要素（１つ又は複数）の位置、並びにエラストマー要素（１つ又は複数）によって加えられる力は、股関節部の位置で、また身体に沿って適切に固定するのを確実にするように（具体的には前側腰部区域にわたって、後側腰部区域内で）変化させることができる。充填された物品のフィット性を維持するのに役に立つ固定の一形態は、１９９４年１０月２５日にＬａＶｏｎらに発行された米国特許第５，３５８，５００号、「Ａｂｓｏｒｂｅｎｔ  Ａｒｔｉｃｌｅｓ  Ｐｒｏｖｉｄｉｎｇ  Ｓｕｓｔａｉｎｅｄ  Ｄｙｎａｍｉｃ  Ｆｉｔ」に開示されている。腰縁部及び脚縁部に沿って弾性体を有する通常の下着は、通常は、３００〜６００グラムの重量が下着の股部区域に加えられたときに下着のフィット感を維持するのに十分なだけの支持を提供しないことにも留意されたい。このパラグラフは、充填量が多くなるのに伴ってフィット感を低下させる力を克服するために、なぜ吸収性物品の適切な本体上昇／長さが、接触及びガスケッティング、並びに身体に対する適切な固定を維持するために重要であるかという、別の根本的な理由を示す。
【００７７】
シームは、それぞれ、約１５０ｍｍ〜約２００ｍｍ、約１６０ｍｍ〜約１９０ｍｍ、又は約１７０ｍｍ〜約１８０ｍｍであり得る。これらのシームは、重なり合うフラップの部分である（すなわち、重なり合う又は当接するフラップの腰部開口部から脚部開口部までの距離）。
【００７８】
締結システム
吸収性物品２０はまた、締着システムを含んでもよい。締結時、締結システムは、前側腰部区域と後側腰部区域とを相互に接続し、吸収性物品の着用時に、着用者を取り囲むことができる腰部の外周となる。前側腰部区域と後側腰部区域とを接続する締結要素は、再締結可能なサイドシームを形成する。これは、後側腰部領域のフラップが前側腰部領域のフラップと相互接続することにより、又は後側腰部領域のフラップが前側腰部領域のシャーシと相互接続することにより、達成され得る。締結システムは、例えば、テープタブ、フックとループの締結要素、タブ及びスロットのような係合締結具、バックル、ボタン、スナップ、及び／又は雌雄同体締結要素などの締結具を含んでよいが、他の既知の任意の締結手段も、概ね使用可能である。締結具は、織布であっても不織布であってもよいランディング区域と取り外し可能に係合し得る。いくつかの代表的な表面締結システムは、米国特許第３，８４８，５９４号、同第４，６６２，８７５号、同第４，８４６，８１５号、同第４，８９４，０６０号、同第４，９４６，５２７号、同第５，１５１，０９２号、同第５，２２１，２７４号に開示されている。具体的には、フラップは、米国特許仮出願第６１／６６６，０６５号（２０１２年６月２９日出願、名称「ＤＩＳＰＯＳＡＢＬＥ  ＡＢＳＯＲＢＥＮＴ  ＲＥＦＡＳＴＥＮＡＢＬＥ  ＰＡＮＴＳ  ＡＮＤ  ＭＥＴＨＯＤＳ  ＦＯＲ  ＭＡＮＵＦＡＣＴＵＲＩＮＧ  ＴＨＥ  ＳＡＭＥ」）の図３Ａ〜Ｃ及び４Ａに記載され、図示されているように構成され得る。更に、本開示の吸収性物品は、米国特許仮出願第６１／６６６，０６５号の説明及び図に従って製造され得る（例えば、‘０６５号出願の図５〜図１０Ｃを参照のこと）。例示的な噛合締結システムは、米国特許第６，４３２，０９８号に開示されている。締結システムは、米国特許第４，９６３，１４０号に開示されるように、使い捨て構成において物品を保持するための手段も提供することができる。締結システムはまた、米国特許第４，６９９，６２２号に開示されるように、一次及び二次締結システムを含むことができる。締結システムは、米国特許第５，２４２，４３６号、同第５，４９９，９７８号、同第５，５０７，７３６号、及び同第５，５９１，１５２号に開示されているように、重なり合っている部分のずれを低減するか、又はフィット性を改善するように構成されてもよい。
【００７９】
いくつかの実施形態では、米国特許出願第１３／９２９，９００号及び同第１３／９２９，９７０号に開示されているシステムなど再締結可能なシステムが使用されてよい。
【００８０】
同一又は実質的に同一のシャーシ
米国特許公開第２０１３−０２１１３５５号に開示されているように、異なるサイズの着用者にフィットするが、同一又は実質的に同一のシャーシを含む、パッケージの群を提供することが望ましくあり得る。例えば、群は、第１のサイズの吸収性物品を含む第１のパッケージを含み得、第２のパッケージは、第２のサイズの吸収性物品を含み得、第１のパッケージ及び第２のパッケージは、米国特許公開第２０１３−０２１１３５５号に説明されているような同一の又は実質的に同一のシャーシを含む。より具体的には、第１のパッケージは第１のシャーシを含み得、第２のパッケージは第２のシャーシを含み得、第１のシャーシ及び第２のシャーシのそれぞれは、横方向中心線でのコア幅、前側又は後側コア末端部の一方でのコア幅、左外側カフの遠位縁部から右外側カフの遠位縁部までの距離、左内側カフの遠位縁部から左外側カフの遠位縁部までの距離、左内側カフの近位縁部から右内側カフの近位縁部までの距離、左内側カフの近位縁部から左外側カフの遠位縁部までの距離、内側カフの自由高さ、内側カフのヘム折り畳み幅、内側カフの弾性長さ、外側カフの弾性長さ、コア長さ、及びバックシート幅のうちの１つ以上の同一の寸法を含む。
【００８１】
更に、第１のシャーシ及び第２のシャーシのそれぞれは、トップシート、バックシートフィルム、バックシート不織布、コア超吸収性ポリマー、コアパルプ、コア不織布、コアティッシュ、脚部カフフィルム、レッグレッグカフ不織布、超吸収性ポリマー接着剤、コア不織布接着剤、レッグカフ弾性体接着剤、及びバックシート不織布／フィルム接着剤のうちの１つ以上の同一の化学組成を含んでもよい。
【００８２】
また、第１のシャーシ及び第２のシャーシのそれぞれは、トップシート、バックシートフィルム、バックシート不織布、コア超吸収性ポリマー、コアパルプ、レッグカフ不織布、レッグカフフィルム、超吸収性ポリマー接着剤、レッグカフ接着剤、及びバックシート不織布／フィルム接着剤のうちの１つ以上の同一の坪量を含んでもよい。
【００８３】
また、第１のシャーシ及び第２のシャーシは、組成的に同一のコアの超吸収性ポリマーを含んでもよい。第１のシャーシ及び第２のシャーシは、前側腰部区域、後側腰部区域、及び股部区域のうちの少なくとも１つにおいて、同一の構成要素の断面形式及び配置を有してもよい。第１のシャーシ及び第２のシャーシの内側レッグカフは、組成的に同じ材料からなってもよい。
【００８４】
また、第１のシャーシ及び第２のシャーシのコア接着剤は、同じ接着剤であってもよい。第１のシャーシ及び第２のシャーシは、同じ化学クラス及びサブクラス内のコア超吸収性ポリマーを含んでもよい。
【００８５】
また、第１のシャーシ及び第２のシャーシのそれぞれは、第１の濡れインジケータ及び第２の濡れインジケータをそれぞれ含んでもよく、その場合、第１の濡れインジケータ及び第２の濡れインジケータは組成的に同じである。
【００８６】
更に、第１のシャーシ及び第２のシャーシの内側レッグカフは、前側腰部区域、後側腰部区域、及び股部区域のうちの少なくとも１つにおいて同一の構成要素の断面形式及び配置を有してもよい。左外側カフの遠位縁部から右外側カフの遠位縁部までの距離は同じであってもよい。左内側カフの近位縁部から左外側カフの遠位縁部までの距離は同じであってもよい。左内側カフの近位縁部から右内側カフの近位縁部までの距離は同じである。内側及び外側カフの長さは、同じである。
【００８７】
いくつかの実施形態では、吸収性物品が異なるサイズの着用者にフィットするのを可能にするためにフラップ又はベルトを使用することができるので、群内に提供される異なるサイズは、同一又は実質的に同一のシャーシを有し得る。例えば、第１の吸収性物品及び第２の吸収性物品は、（組成的に、寸法的に、断面的に）同一のシャーシを有することができるが、第１の物品は第２の物品よりも小さな着用者にフィットすることを対象とすることができるように、第１の物品は、ベルトの配置の関係で異なる長さを有してもよい。第２の例として、第１の吸収性物品及び第２の吸収性物品は、（組成的に、寸法的に、断面的に）同一のシャーシを有することができるが、第１の物品は第２の物品よりも小さな着用者にフィットすることを対象とすることができるように、第１の物品は、ベルトのサイズの関係で異なる長さ及び／又は幅を有してもよい。
【００８８】
いくつかの実施形態では、第１の吸収性物品及び第２の吸収性物品は、組成的に同一であるが、寸法的に及び断面的に異なるシャーシを有してもよい。いくつかの実施形態では、第１の吸収性物品及び第２の吸収性物品は、寸法的に同一であるが、組成的に及び断面的に異なるシャーシを有してもよい。いくつかの実施形態では、第１の吸収性物品及び第２の吸収性物品は、断面的に同一であるが、寸法的に及び組成的に異なるシャーシを有してもよい。更に他の実施形態では、第１の吸収性物品及び第２の吸収性物品は、（１）組成的、（２）寸法的、及び（３）断面的のうちの２つにおいて同一であるが、３つとも同一ではないシャーシを有してもよい。
【００８９】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【００９０】
相互参照される又は関連する特許又は出願等の、本願に引用される全ての文書は、明示的に除外される、又は別途限定されない限り、参照によりその全体が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００９１】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2018522680.tif 000003
【図２】
2018522680.tif 000004
【図３】
2018522680.tif 000005
【図４】
2018522680.tif 000006
【図５】
2018522680.tif 000007
【図６Ａ】
2018522680.tif 000008
【図６Ｂ】
2018522680.tif 000009
【図６Ｃ】
2018522680.tif 000010
【図７】
2018522680.tif 000011
【図８】
2018522680.tif 000012
【図９Ａ】
2018522680.tif 000013
【図９Ｂ】
2018522680.tif 000014
【国際調査報告】
2018522680.tif 000015
2018522680.tif 000016
2018522680.tif 000017